(57)【要約】【課題】無線基地局装置と移動機との間に設けられ、ブースタとして機能する無線中継装置において、送信雑音を抑える。【解決手段】無線中継装置１００の配下に移動機が存在しない場合は、上り回線用の可変利得増幅器１０８の利得を最低利得に設定して運用する。配下に移動機が存在しない場合に、上り回線をオフにして運用してもよい。【効果】最低利得に設定又は上り回線をオフにして運用すれば、送信雑音を抑えることができる。【選択図】      図１
2007251789.tif 000002
【特許請求の範囲】
【請求項１】
基地局と移動機との間の無線信号を可変増幅して中継する無線中継装置であって、前記移動機から前記基地局に向けて送信される上り基準信号を受信する受信手段と、前記受信手段によって受信した上り基準信号に基づいて前記基地局への上り信号の利得を制御する利得制御手段とを含むことを特徴とする無線中継装置。
【請求項２】
前記利得制御手段は、前記上り基準信号の雑音電力に応じて利得制御を行うことを特徴とする請求項１記載の無線中継装置。
【請求項３】
前記利得制御手段は、前記上り基準信号が受信されない場合に、前記移動機から前記基地局への上り回線の利得を最低レベルに設定することを特徴とする請求項２記載の無線中継装置。
【請求項４】
前記利得制御手段は、上り回線の利得を最低レベルに設定した後、前記上り基準信号を受信した場合、該受信した上り基準信号の雑音電力に応じて利得制御を行うことを特徴とする請求項３記載の無線中継装置。
【請求項５】
前記上り基準信号が受信されない場合に、前記移動機から前記基地局への上り信号の送信を停止する出力制御手段を更に含むことを特徴とする請求項２記載の無線中継装置。
【請求項６】
前記出力制御手段が上り信号の送信を停止した後、前記上り基準信号を受信した場合、前記利得制御手段は、該受信した上り基準信号の雑音電力に応じて利得制御を行うことを特徴とする請求項５記載の無線中継装置。
【請求項７】
基地局と移動機との間の無線信号の送受信を予め定められた利得範囲内で可変増幅して中継する無線中継方法であって、前記移動機から前記基地局に向けて送信される上り基準信号の受信有無を判定する判定ステップと、前記判定ステップにより前記上り基準信号を受信していないと判定された場合に、前記移動機から前記基地局に向けて送信する上り信号について、その利得を最低レベルに設定する制御と前記上り信号の送信を停止させる制御とうちのいずれか一方の制御を行う制御ステップとを含むことを特徴とする無線中継方法。
【発明の詳細な説明】
【技術分野】
【０００１】
本発明は無線中継装置、無線中継方法に関し、特に基地局と移動機との間で送受信されるべき信号を受信し、増幅し、送信するブースタやリピーター等の無線中継装置、及びそれによって実現される無線中継方法に関する。
【背景技術】
【０００２】
屋内及び屋外の弱電界エリア対策のために用いられる従来の無線中継装置について、図７を用いて説明する。同図（ａ）のように弱電界ビルの屋内や、同図（ａ）のように屋外の弱電界エリアに移動機１１５が存在している場合、基地局１１４と移動機１１５と間の通信が困難となる。そこで、基地局１１４から送信された下り信号及び移動機１１５から送信された上り信号を直接増幅して再放射するブースタとして機能する無線中継装置１００を設置し、基地局１１４と移動機１１５との間の通信を確保している。
【０００３】
ここで、無線中継装置１００の利得が低すぎると、所望のブースタエリアが得られない。逆に、無線中継装置１００の利得が高すぎると、基地局１１４で受信される無線中継装置１００の雑音も大きくなり加入者容量に影響を及ぼす。そのために、例えば非特許文献１で述べられているように、無線中継装置では、アンテナの利得を適切に設定して、所望のエリアを確保しつつ、上り雑音による加入者容量を抑えるように設計されている。
また、ブースタの利得を調整して、ブースタの雑音が基地局に大きな影響を与えないようにする技術が特許文献１に記載されている。
【特許文献１】特開２００１−６９０９１号公報
【非特許文献１】ＮＴＴ  ＤｏＣｏＭｏ  テクニカル・ジャーナル  Ｖｏｌ．１３  Ｎｏ．３  Ｏｃｔ．２００５  「屋内用ＦＯＭＡブースタ装置の開発」
【発明の開示】
【発明が解決しようとする課題】
【０００４】
上記のように調整しても、従来の無線中継装置では、無線中継装置配下の移動機の有無に関わらず、運用中は常に基地局に対して無線中継装置雑音を送信してしまうことになる。このため、ＣＤＭＡ（code division multiple access）方式において加入者容量の劣化が顕著となる。そのために、通信がされていない場合には無線中継装置から送信される雑音を抑える必要がある。
【０００５】
加入者容量への影響に対して、以下に説明する。
無線中継装置は一般の基地局装置と比べて装置価格や設置コスト等の面で有利である反面、ブースタ送信雑音が容量に影響する。ある基地局がカバーするエリア内にＮ台の無線集計装置が設置される場合を考えると、基地局の受信器雑音ＮBTSに無線中継装置の雑音が増加され全体の雑音電力が上昇する。このとき、無線中継装置未設置時の容量をＣ、無線中継装置設置時の容量をＣ’、基地局ロードマージンをη、ｋ番目の無線中継装置の雑音が基地局において受信される電力をＮTBkとすれば、基地局の容量は以下の式（１）で表される。
Ｃ’／Ｃ＝１−ΣＮTBk／（η−１）ＮBTS    …（１）
ただし、上記式（１）において、Σはｋ＝１からｋ＝Ｎまでの総和である。全体の容量を１とすれば、無線中継装置設置台数に応じて無線中継装置の送信雑音が増加して容量が低下する。
【０００６】
この容量低下量は、基地局と無線中継装置との間の距離（基地局と無線中継装置間の伝搬損失）に依存する。無線中継装置の利得が大きく伝搬損失が小さいほど、容量低下量が大きくなる。例えば、利得４５ｄＢの無線中継装置においては、容量低下がほぼ無視できる量となるが、利得６０ｄＢの無線中継装置においては、基地局と無線中継装置間との距離が近接している場合に、容量への影響が出てくる。なお、以上については、文献「屋内エリア用ＩＭＴ−２０００ブースタ装置」（ＲＣＳ２００５−５２（２００５−７））に記載されている。
【０００７】
本発明は上述した従来技術の問題点を解決するためになされたものであり、その目的は自装置の配下に移動機が存在しない場合は、最低利得に設定又は上り回線をオフにして運用することにより、送信雑音を抑えることのできる無線中継装置、無線中継方法を提供することである。
【課題を解決するための手段】
【０００８】
本発明の請求項１による無線中継装置は、基地局と移動機との間の無線信号を可変増幅して中継する無線中継装置であって、前記移動機から前記基地局に向けて送信される上り基準信号を受信する受信手段と、前記受信手段によって受信した上り基準信号に基づいて前記基地局への上り信号の利得を制御する利得制御手段とを含むことを特徴とする。上り基準信号に基づいて利得を制御することにより、無線中継装置の雑音を抑えることができるため、基地局へ加わる雑音の総量が少なくなり、加入者容量の低下を抑えることができる。
【０００９】
本発明の請求項２による無線中継装置は、請求項１において、前記利得制御手段は、前記上り基準信号の雑音電力に応じて利得制御を行うことを特徴とする。上り基準信号の雑音電力に応じて利得を制御することにより、無線中継装置の雑音を抑えることができるため、基地局へ加わる雑音の総量が少なくなり、加入者容量の低下を抑えることができる。
本発明の請求項３による無線中継装置は、請求項２において、前記利得制御手段は、前記上り基準信号が受信されない場合に、前記移動機から前記基地局への上り回線の利得を最低レベルに設定することを特徴とする。無線中継装置配下に移動機が無い場合に、上り回線の利得を最低レベルに設定することにより、無線中継装置の雑音を抑えることができる。
【００１０】
本発明の請求項４による無線中継装置は、請求項３において、前記利得制御手段は、上り回線の利得を最低レベルに設定した後、前記上り基準信号を受信した場合、該受信した上り基準信号の雑音電力に応じて利得制御を行うことを特徴とする。このように制御すれば、一旦最低利得に設定した場合でも、その後に無線中継装置配下に移動機が移動してくれば、元の利得に戻すことができる。
【００１１】
本発明の請求項５による無線中継装置は、請求項２において、前記上り基準信号が受信されない場合に、前記移動機から前記基地局への上り信号の送信を停止する出力制御手段を更に含むことを特徴とする。無線中継装置配下に移動機が無い場合に、上り信号送信を停止することにより、無線中継装置の雑音を抑えることができる。
本発明の請求項６による無線中継装置は、請求項５において、前記出力制御手段が上り信号の送信を停止した後、前記上り基準信号を受信した場合、前記利得制御手段は、該受信した上り基準信号の雑音電力に応じて利得制御を行うことを特徴とする。このように制御すれば、上り信号の送信を停止した場合でも、その後に無線中継装置配下に移動機が移動してくれば、元の利得に戻すことができる。
【００１２】
本発明の請求項７による無線中継方法は、基地局と移動機との間の無線信号の送受信を予め定められた利得範囲内で可変増幅して中継する無線中継方法であって、前記移動機から前記基地局に向けて送信される上り基準信号の受信有無を判定する判定ステップと、前記判定ステップにより前記上り基準信号を受信していないと判定された場合に、前記移動機から前記基地局に向けて送信する上り信号について、その利得を最低レベルに設定する制御と前記上り信号の送信を停止させる制御とうちのいずれか一方の制御を行う制御ステップとを含むことを特徴とする。無線中継装置配下の移動機の有無によって無線中継装置の利得を調整し又は無線中継装置上り信号送信を停止することにより、無線中継装置の雑音を抑えることができるため、基地局へ加わる雑音の総量が少なくなり、加入者容量の低下を抑えることができる。
【発明の効果】
【００１３】
以上説明したように本発明によれば、無線中継装置配下の移動機の有無によって無線中継装置の利得を調整し又は無線中継装置上り信号送信を停止することにより、無線中継装置の雑音を抑えることができるため、基地局へ加わる雑音の総量が少なくなり、加入者容量の低下を抑えることができるという効果がある。
【発明を実施するための最良の形態】
【００１４】
以下、本発明の実施の形態を、図面を参照して説明する。なお、以下の説明において参照する各図では、他の図と同等部分は同一符号によって示されている。
（第１実施形態）
図１は、本発明の第１実施形態に係る無線中継装置の構成例を示す図である。
本実施形態に係る無線中継装置１００は、アンテナ１１２、１１３と、共用器１０１、１０２と、増幅器１０３、１０４と、受信信号を分配する分配器１０５、１０６と、予め定められた範囲内で利得を変化制御できる可変利得増幅器１０７、１０８と、受信器１０９、１１０と、可変利得増幅器１０７及び１０８の利得を制御する利得制御器１１１とを含んで構成されている。
【００１５】
このような構成において、無線中継装置１００は、基地局１１４等から移動機１１５等への下り信号、及び移動機１１５等から基地局１１４等への上り信号を受信し、増幅し、送信する。すなわち、基地局１１４等が送信した信号を受信し、受信した信号を増幅し、増幅した信号を移動機１１５等へ送信する。また、移動機１１５等が送信した信号を受信し、受信した信号を増幅し、増幅した信号を基地局１１４等へ送信する。
【００１６】
基地局１１４等が送信した信号（下り信号）は、アンテナ１１２、共用器１０１、増幅器１０３及び分配器１０５を介して受信器１０９及び可変利得増幅器１０７に入力され、受信器１０９から出力される情報をもとに利得制御器１１１から可変利得増幅器１０７である利得だけ増幅され、共用器１０２及びアンテナ１１３を介して移動機１１５等に送信される。また、移動機１１５等が送信した信号（上り信号）は、アンテナ１１３、共用器１０２、増幅器１０４及び分配器１０６を介して受信器１１０及び可変利得増幅器１０８に入力され、受信器１１０から出力される情報をもとに利得制御器１１１から可変利得増幅器１０８である利得だけ増幅され、共用器１０１及びアンテナ１１２を介して基地局１１４等に送信される。
【００１７】
無線中継装置１００は、基地局１１４と無線中継装置１００との間の伝搬損失Ｌ１と移動機１１５が送信する基準信号の受信電力に基づき、下り信号の増幅の利得、上り信号の増幅の利得を調整し、無線中継装置１００の雑音が基地局１１４等に大きな影響を与えないようにしている。基地局１１４の雑音指数ＮＦｏと、無線中継装置の雑音指数ＮＦｂは既知であるとする。
無線中継装置利得Ｇｂは以下の式（２）で求められる。
Ｇｂ＝Ｌ１＋ＮＦｏ−ＮＦｂ    …（２）
【００１８】
移動通信においては、在圏セル検索に用いられるとまり木信号があり、基地局は常時、継続的にとまり木信号を送信している。とまり木信号の情報の中に、そのとまり木信号の基地局における送信電力（値）Ｐtpch［ｄＢｍ］が含まれていれば、無線中継装置でそのとまり木信号を受信した際の受信電力（値）Ｐrpch［ｄＢｍ］との関係で基地局と無線中継装置との間の伝搬損失Ｌ１（＝Ｐtpch−Ｐrpch）［ｄＢ］がわかる。
【００１９】
本実施形態においては、とまり木信号を受信し、受信器１０９において、とまり木信号に含まれている、該とまり木信号の基地局における送信電力の情報を取り出す。さらに、受信器１０９において、受信したとまり木の受信電力を測定する。なお、とまり木信号の基地局における送信電力の情報を基地局から直接受信し、とまり木信号の受信を介さないようにすることもできる。
【００２０】
さらに本実施形態においては、とまり木信号を、無線中継装置と基地局との間の伝搬損失等を測定するための基準の信号としているが、それらの測定の基準となる信号はとまり木信号でなくてもよい。
また、移動通信においては、基地局１１４と移動機１１５との信号の送受信タイミングを合わせる基準信号があり、本実施形態では、受信器１１０において移動機１１５が送信する基準信号を測定し、この測定結果に基づき利得制御器１１１により可変利得増幅器１０８の利得を制御して、無線中継装置１００が送信する上り信号の雑音を調整している。
【００２１】
（動作フロー）
図２は、本発明の第１実施形態に係る無線中継装置の動作フローを示す図である。以下、下り利得設定方法、及び、上り利得設定法について項を分けて説明する。
（下り利得設定方法）
無線中継装置１００の電源を起動後（Ｓ１００）、増幅器１０３の利得を最低利得に設定する（Ｓ１０１）。
基地局１１４等が送信した信号（すなわち下り信号）をアンテナ１１２、共用器１０１、増幅器１０３及び分配器１０５を介して受信器１０９で受信し、受信された下り信号の受信電力Ｐrpchを測定する（Ｓ１０２）。
受信器１０９において、受信した下り信号から基地局送信電力の情報Ｐtpchを入手する（Ｓ１０３）。
【００２２】
受信器１０９において、基地局と無線中継装置との間の伝搬損失Ｌ１を計算する（Ｓ１０４）。
伝搬損失Ｌ１及び受信器１１０の上り基準信号測定結果より、利得制御器１１１から可変利得増幅器１０７をある利得だけ増幅し、共用器１０２、アンテナ１１３を介して、移動機１１５等へ下り出力を送信する（Ｓ１０５）。
さらに受信器１０９及び受信器１１０の測定結果に変動があれば、利得制御器１１１は可変利得増幅器１０７の利得を調整する（Ｓ１０５→Ｓ１０２→Ｓ１０３…）。
【００２３】
（上り利得設定法）
無線中継装置１００の電源を起動後（Ｓ１００）、増幅器１０４の利得を最低利得に設定する（Ｓ１０６）。ここで、最低利得とは、例えば、基地局加入者容量に影響が少ない４０ｄＢ程度とする。この「４０ｄＢ」の根拠は、文献「屋内エリア用ＩＭＴ−２０００ブースタ装置」（ＲＣＳ２００５−５２（２００５−７））に記載されている。
【００２４】
受信器１１０は、アンテナ１１３、共用器１０２、増幅器１０４及び分配器１０６を介して移動機１１５等が送信した信号（すなわち上り信号）の受信電力を測定する。
受信器１１０にて移動機１１５等が送信した信号が有れば、利得制御器１１１を介して、可変利得増幅器１０８の利得をある利得分だけ増幅する（Ｓ１０７→Ｓ１０８）。このとき、受信器１０９で測定した伝搬損失Ｌ１も考慮して利得を増幅し、共用器１０１、アンテナ１１２を介して、基地局１１４へ上り出力信号を送信する。
さらに受信器１０９及び受信器１１０の測定結果に変動があれば、利得制御器１１１は可変利得増幅器１０８の利得を調整する（Ｓ１０８→Ｓ１０７）。
【００２５】
（無線中継装置を用いた場合の効果）
図３は、本発明の第１実施形態に係る無線中継装置を用いた場合の効果を示す図である。
無線中継装置の電源がオフ（ｏｆｆ）の場合は、無線中継装置は上り信号で雑音を送信しない（Ｓ２０１）。
無線中継装置の電源をオン（ｏｎ）にする（Ｓ２０２）。
増幅器１０４は、無線中継装置の上り利得を最低値に設定する（Ｓ２０３）。
無線中継装置上り利得を最低値に設定後、受信器１１０は移動機１１５等が送信した基準信号を測定する（Ｓ２０４）。
【００２６】
受信器１１０にて、移動機１１５等が送信した基準信号受信（Ｓ２０５）。受信器１１０から利得制御器１１１へ制御信号を送信する。
利得制御器１１１にて可変利得増幅器１０８の利得を調整する（Ｓ２０６）。このとき、受信器１０９における伝搬損失Ｌ１の測定結果を考慮して利得を調整する。
さらに受信器１０９及び１１０にて基地局１１４及び移動機１１５等が送信する上り及び下りの受信信号を測定する（Ｓ２０７）。
【００２７】
受信器１１０にて、移動機１１５等が送信する上り基準信号が未受信となった場合、受信器１１０から利得制御器１１１へ制御信号を送信する（Ｓ２０８）。この制御信号を受信した利得制御器１１１は、可変利得増幅器１０８の利得を調整する（Ｓ２０９）。ここでは、可変利得増幅器１０８の利得を最低利得に設定する。
さらに受信器１０９及び１１０にて基地局１１４及び移動機１１５等が送信する上り及び下りの受信信号を測定する（Ｓ２１０）。
【００２８】
受信器１１０は、移動機１１５等が送信した基準信号を受信する（Ｓ２１１）。そして、受信器１１０は、利得制御器１１１へ制御信号を送信する。
この制御信号を受信した利得制御器１１１は、可変利得増幅器１０８の利得を調整する（Ｓ２１２）。このとき、受信器１０９における伝搬損失Ｌ１の測定結果を考慮して利得を調整する。
さらに受信器１０９及び１１０にて基地局１１４及び移動機１１５等が送信する上り及び下りの受信信号を測定する（Ｓ２１３）。
【００２９】
受信器１１０において、移動機１１５等が送信する上り基準信号が未受信となった場合、受信器１１０から利得制御器１１１へ制御信号を送信する（Ｓ２１４）。この制御信号を受信した利得制御器１１１は、可変利得増幅器１０８の利得を調整する（Ｓ２１５）。ここでは、可変利得増幅器１０８の利得を最低利得に設定する。
さらに、受信器１０９及び１１０において、基地局１１４及び移動機１１５等が送信する上り及び下りの受信信号の測定を続ける（Ｓ２１６）。
【００３０】
（第２実施形態）
図４は、本発明の第２実施形態に係る無線中継装置の構成例を示す図である。第１実施形態では、配下に移動機が無い場合に上り信号の利得を最低利得に設定しているが、本実施形態では上り信号をオフに設定する。
本実施形態に係る無線中継装置１００は、共用器１０１、１０２と、増幅器１０３、１０４と、分配器１０５、１０６と、可変利得増幅器１０７、１０８と、受信器１０９、１１０と、利得制御器１１１と、上り出力信号の送出を停止するスイッチとして機能する出力制御器１２８とを含んで構成されている。
【００３１】
無線中継装置１００は、基地局１１４等から移動機１１５等への下り信号、及び移動機１１５等から基地局１１４等への上り信号を受信し、増幅し、送信する。すなわち、基地局１１４等が送信した信号を受信し、受信した信号を増幅し、増幅した信号を移動機１１５等へ送信する。また、移動機１１５等が送信した信号を受信し、受信した信号を増幅し、増幅した信号を基地局１１４等へ送信する。
【００３２】
基地局１１４等が送信した信号（下り信号）は、アンテナ１１２、共用器１０１、増幅器１０３及び分配器１０５を介して受信器１０９及び可変利得増幅器１０７に入力され、受信器１０９の情報をもとに利得制御器１１１から可変利得増幅器１０７である利得だけ増幅され、共用器１０２及びアンテナ１１３を介して移動機１１５等に送信される。また、移動機１１５等が送信した信号（上り信号）は、アンテナ１１３、共用器１０２、増幅器１０４及び分配器を介して受信器１１０及び可変利得増幅器１０８に入力され、受信器１１０の情報をもとに利得制御器１１１から可変利得増幅器１０８である利得だけ増幅され、出力制御器１２８、共用器１０１及びアンテナ１１２を介して基地局１１４等に送信される。
【００３３】
無線中継装置１００は、基地局１１４と無線中継装置１００との間の伝搬損失Ｌ１と移動機１１５が送信する基準信号の受信電力に基づき、下り信号の増幅の利得、上り信号の増幅の利得を調整し、無線中継装置１００の雑音が基地局１１４等に大きな影響を与えないようにしている。基地局１１４の雑音指数ＮＦｏと、無線中継装置の雑音指数ＮＦｂは既知であるとする。
無線中継装置利得Ｇｂは以下の式（３）で求められる。
Ｇｂ＝Ｌ１＋ＮＦｏ−ＮＦｂ    …（３）
【００３４】
本実施形態においては、とまり木信号を受信し、受信器１０９において、とまり木信号に含まれている、該とまり木信号の基地局における送信電力の情報を取り出す。さらに、受信器１０９において、受信したとまり木の受信電力を測定する。なお、とまり木信号の基地局における送信電力の情報を基地局から直接受信し、とまり木信号の受信を介さないようにすることもできる。
さらに本実施形態においては、とまり木信号を、無線中継装置と基地局との間の伝搬損失等を測定するための基準の信号としているが、それらの測定の基準となる信号はとまり木信号でなくてもよい。
【００３５】
また、移動通信においては、基地局１１４と移動機１１５の信号の送受信タイミングを合わせる基準信号があり、本実施形態は、受信器１１０において移動機１１５が送信する基準信号を測定し、この測定結果に基づき利得制御器１１１により可変利得増幅器１０８の利得を制御して、無線中継装置１００が送信する上り信号の雑音を調整している。
受信器１１０において、移動機１１５が送信する基準信号が受信されなかった場合は、出力制御器１２８により無線中継装置の上り出力信号の送出を停止する。
【００３６】
（動作フロー）
図５は、本発明の第２実施形態に係る無線中継装置の動作フローを示す図である。以下、下り利得設定方法、及び、上り利得設定法について項を分けて説明する。
（下り利得設定方法）
無線中継装置１００の電源を起動後（Ｓ１００）、増幅器１０３の利得を最低利得に設定する（Ｓ１０１）。
基地局１１４等が送信した信号（すなわち下り信号）をアンテナ１１２、共用器１０１、増幅器１０３及び分配器１０５を介して受信器１０９で受信し、受信された下り信号の受信電力Ｐrpchを測定する（Ｓ１０２）。
受信器１０９において、受信した下り信号から基地局送信電力の情報Ｐtpchを入手する（Ｓ１０３）。
【００３７】
受信器１０９において、基地局と無線中継装置との間の伝搬損失Ｌ１を計算する（Ｓ１０４）。
伝搬損失Ｌ１及び受信器１１０の上り基準信号測定結果より、利得制御器１１１から可変利得増幅器１０７をある利得だけ増幅し、共用器１０２、アンテナ１１３を介して、移動機１１５等へ下り出力を送信する（Ｓ１０５）。
さらに受信器１０９及び受信器１１０の測定結果に変動があれば、利得制御器１１１は可変利得増幅器１０７の利得を調整する（Ｓ１０５→Ｓ１０２→Ｓ１０３…）。
【００３８】
（上り利得設定法）
無線中継装置１００の電源を起動後（Ｓ１００）、増幅器１０４の利得を最低利得に設定する（Ｓ１０６）。
受信器１１０は、アンテナ１１３、共用器１０２、増幅器１０４及び分配器１０６を介して移動機１１５等が送信した信号（すなわち上り信号）の受信電力を測定する。
受信器１１０にて移動機１１５等が送信した信号が有れば、利得制御器１１１を介して、可変利得増幅器１０８の利得をある利得分だけ増幅する（Ｓ１０７→Ｓ１０８）。このとき、受信器１０９で測定した伝搬損失Ｌ１も考慮して利得を増幅する。さらに、出力制御器１２８を出力状態として、共用器１０１、アンテナ１１２を介して、基地局１１４へ上り出力を送信する（Ｓ１０９）。ここで、受信器１１０にて移動機１１５等が送信した上り基準信号が無ければ、出力制御器１２８を出力停止状態として、上り出力を停止する（Ｓ１０７→Ｓ１１０）。
【００３９】
さらに受信器１０９及び受信器１１０の測定結果に変動があれば、利得制御器１１１は可変利得増幅器１０８の利得を調整する（Ｓ１０９→Ｓ１０７→Ｓ１０８）。また、受信器１１０において受信した上り基準信号が有った場合は、出力制御器１２８を出力状態とし（Ｓ１０７→Ｓ１０８）、受信器１１０において受信した上り基準信号が無かった場合は、出力制御器１２８を出力停止状態とする（Ｓ１０７→Ｓ１１０）。
【００４０】
（無線中継装置を用いた場合の効果）
図６は、本発明の第２実施形態に係る無線中継装置を用いた場合の効果を示す図である。
無線中継装置の電源がオフ（ｏｆｆ）の場合は、無線中継装置は上り送信雑音を送信しない（Ｓ２０１）。
無線中継装置の電源をオン（ｏｎ）にする（Ｓ２０２）。
増幅器１０４は、無線中継装置の上り利得を最低値に設定する（Ｓ２０３）。
無線中継装置上り利得を最低値に設定後、受信器１１０は移動機１１５等が送信した基準信号を測定する（Ｓ２０４）。
【００４１】
受信器１１０にて、移動機１１５等が送信した基準信号を受信する。受信器１１０から利得制御器１１１へ制御信号を送信する（Ｓ２０５）。
利得制御器１１１にて可変利得増幅器１０８の利得を調整する（Ｓ２０６）。このとき、受信器１０９における伝搬損失Ｌ１の測定結果を考慮して利得を調整する。
さらに受信器１０９及び１１０にて基地局１１４及び移動機１１５等が送信する上り及び下りの受信信号を測定する（Ｓ２０７）。
【００４２】
受信器１１０にて、移動機１１５等が送信する上り基準信号が未受信となった場合、受信器１１０から出力制御器１２８へ制御信号を送信する（Ｓ２０８）。この制御信号を受信した出力制御器１２８は出力停止状態となる（Ｓ２０９’）。
さらに受信器１０９及び１１０にて基地局１１４及び移動機１１５等が送信する上り及び下りの受信信号を測定する（Ｓ２１０）。
【００４３】
受信器１１０は、移動機１１５等が送信した基準信号を受信する（Ｓ２１１）。そして、受信器１１０は、利得制御器１１１及び出力制御器１２８へ制御信号を送信する。
この制御信号を受信した利得制御器１１１は、可変利得増幅器１０８の利得を調整する（Ｓ２１２）。このとき、受信器１０９における伝搬損失Ｌ１の測定結果を考慮して利得を調整する。また、出力制御器１２８は出力状態となる。
【００４４】
さらに受信器１０９及び１１０にて基地局１１４及び移動機１１５等が送信する上り及び下りの受信信号を測定する（Ｓ２１３）。
受信器１１０において、移動機１１５等が送信する上り基準信号が未受信となった場合、受信器１１０から出力制御器１２８へ制御信号を送信する（Ｓ２１４）。この制御信号を受信した出力制御器１２８は出力停止状態となる（Ｓ２１５’）。
さらに、受信器１０９及び１１０において、基地局１１４及び移動機１１５等が送信する上り及び下りの受信信号測定を続ける（Ｓ２１６）。
【００４５】
（無線中継方法）
以上説明した無線中継装置においては、以下のような無線中継方法が実現されている。すなわち、基地局と移動機との間の無線信号の送受信を予め定められた利得範囲内で可変増幅して中継する無線中継方法であり、上記移動機から上記基地局に向けて送信される上り基準信号の受信有無を判定する判定ステップ（図２、図５中のステップＳ１０７）と、上記判定ステップにより上記上り基準信号を受信していないと判定された場合に、上記移動機から上記基地局に向けて送信する上り信号について、その利得を最低レベルに設定する制御（図２中のステップＳ１０６）と上記上り信号の送信を停止させる制御とうちのいずれか一方の制御（図５中のステップＳ１１０）を行う制御ステップとを含むことを特徴とする。
このように、無線中継装置配下の移動機の有無によって無線中継装置の利得を調整し又は無線中継装置上り信号送信を停止することにより、無線中継装置の雑音を抑えることができるため、基地局へ加わる雑音の総量が少なくなり、加入者容量の低下を抑えることができる。
【００４６】
（まとめ）
以上説明したように、ブースタとして機能する無線中継装置の配下に移動機が存在しない場合に最低利得又は上り回線をオフにすることにより、送信雑音を抑えることができる。このため、基地局へ加わる雑音の総量が少なくなり、加入者容量の低下を抑えることができる。
【産業上の利用可能性】
【００４７】
本発明は、基地局と移動機との間で送受信されるべき信号を受信し、増幅し、送信するブースタやリピーター等に利用することができる。
【図面の簡単な説明】
【００４８】
【図１】本発明の第１実施形態に係る無線中継装置の構成例を示す図である。
【図２】本発明の第１実施形態に係る無線中継装置の動作フローを示す図である。
【図３】本発明の第１実施形態に係る無線中継装置を用いた場合の効果を示す図である。
【図４】本発明の第２実施形態に係る無線中継装置の構成例を示す図である。
【図５】本発明の第２実施形態に係る無線中継装置の動作フローを示す図である。
【図６】本発明の第２実施形態に係る無線中継装置を用いた場合の効果を示す図である。
【図７】屋内及び屋外の弱電界エリア対策のために用いられる従来の無線中継装置を示す図である。
【符号の説明】
【００４９】
１００  無線中継装置
１０１、１０２  共用器
１０３、１０４  増幅器
１０５、１０６  分配器
１０７、１０８  可変利得増幅器
１０９、１１０  受信器
１１１  利得制御器
１１２、１１３  アンテナ
１１４  基地局
１１５  移動機
１２８  出力制御器
【図１】
2007251789.tif 000003
【図２】
2007251789.tif 000004
【図３】
2007251789.tif 000005
【図４】
2007251789.tif 000006
【図５】
2007251789.tif 000007
【図６】
2007251789.tif 000008
【図７】
2007251789.tif 000009